(57)【要約】【課題】  スロット内における光ファイバテープ心線の移動を抑制してケーブル延線時に光ファイバテープ心線に生じる残留伸び歪みを低減することができ、なお且つ、伝送損失特性に優れたスロット型光ケーブルを提供する。【解決手段】  スロットロッド３に形成されたスロット６に光ファイバテープ心線７を収容するとともに、スロットロッド３の外周を押さえ巻きテープ４で被覆したスロット型光ケーブル１において、スロット６内の光ファイバテープ心線７と押さえ巻きテープ４との間に、押さえ巻きテープ４で押圧されて光ファイバテープ心線７を押圧する線状の介在８を介在させた。【選択図】  図１
2005345664.tif 000002
【特許請求の範囲】
【請求項１】
スロットロッドに形成されたスロットに光ファイバテープ心線を収容するとともに、前記スロットロッドの外周を被覆体で被覆したスロット型光ケーブルにおいて、
前記スロット内の光ファイバテープ心線と前記被覆体との間に、該被覆体で押圧されて前記光ファイバテープ心線を押圧する線状の介在を介在させた
ことを特徴とするスロット型光ケーブル。
【請求項２】
前記線状の介在は、表面を毛羽立たせた繊維で形成したことを特徴とする請求項１に記載のスロット型ケーブル。
【発明の詳細な説明】
【技術分野】
【０００１】
本発明は、スロットロッドに形成されたスロットに光ファイバテープ心線を収容したスロット型光ケーブルに関する。
【背景技術】
【０００２】
光ファイバ素線を複数本平行に並べその上に樹脂を一括被覆してなる光ファイバテープ心線を複数まとめてケーブル化した光ケーブルとして、スロット型光ケーブルが知られている。このスロット型光ケーブルは、中心部にテンションメンバを有する樹脂製のスロットロッドに、複数のスロットを長手方向に形成し、該スロット内に前記光ファイバテープ心線を収容してその上に押さえ巻きテープを施し、さらにその上に外被を施して構成されている（例えば、特許文献１参照。）。
【０００３】
このように構成されたスロット型光ケーブルにおいて、前記スロットがＳＺ撚りとなるように形成されている場合は、スロット内に収容された光ファイバテープ心線は、スロットの側面との接触が多いため、長手方向への移動に対して比較的摩擦力が大きく作用する。したがって、ＳＺ撚りとなるように形成されたスロット内の光ファイバテープ心線の移動は抑制されるようになっている。
【０００４】
これに対し、前記スロットがＳ撚り又はＺ撚りのように１方向撚りとなるように形成されている場合には、ＳＺ撚りに比べるとスロット内の光ファイバテープ心線の長手方向の移動に対して作用する摩擦力が小さく、光ファイバテープ心線の移動が発生しやすい。このように、スロット内における光ファイバテープ心線の移動が発生しやすいと、ケーブル延線時に発生する心線伸び歪みが大きくなり、ケーブル端部を切断したときに、その残留伸び歪みを解消すべく光ファイバテープ心線が切断端面からスロット型光ケーブルの奥に入り込むという所謂光ファイバテープ心線の飲み込みの問題を発生するおそれがある。
【０００５】
このような光ファイバテープ心線の飲み込みの問題を解消するためには、ケーブル延線時に光ファイバテープ心線に生ずる残留伸び歪みを低減すればよく、残留伸び歪みを低減するためには、スロット内での光ファイバテープ心線の移動を抑制することが有効である。
【０００６】
そこで、スロット内での光ファイバテープ心線の移動を抑制するため、スロットロッドの外周に巻き付ける押さえ巻きテープの素材として、押さえ巻きした時にその内面側がスロットの開口平面よりスロット内に落ち込んで光ファイバテープ心線を押圧する素材を用いたスロット型光ケーブルが知られている（例えば、特許文献２参照。）。
【特許文献１】特開２００２−２０２４４４号公報
【特許文献２】特開２００１−１８３５５９号公報
【発明の開示】
【発明が解決しようとする課題】
【０００７】
上記特許文献２に記載のスロット型光ケーブルによれば、スロット内の光ファイバテープ心線が、スロット内に落ち込んだ押さえ巻きテープによって押圧されてスロット内での移動を抑制することができるようになっている。
【０００８】
しかし、スロット内への押さえ巻きテープの落ち込み量が多すぎると、光ファイバテープ心線に対する負荷が大きくなり、伝送損失特性に問題を生じるおそれがある。一方で、スロット内への押さえ巻きテープの落ち込み量が少なすぎると、スロット内での光ファイバテープ心線の移動を十分に抑制することができない。上記特許文献２に記載のスロット型光ケーブルでは、押さえ巻きテープをスロット内に落ち込ませる量を調整することは非常に困難であり、光ファイバテープ心線に過負荷を与えず、なお且つスロット内での移動を抑制することができるようスロット内への押さえ巻きテープの落ち込み量を調整することは困難である。
【０００９】
本発明の目的は、スロット内における光ファイバテープ心線の移動を抑制してケーブル延線時に光ファイバテープ心線に生じる残留伸び歪みを低減することができ、なお且つ、伝送損失特性に優れたスロット型光ケーブルを提供することにある。
【課題を解決するための手段】
【００１０】
上記課題を解決するために、請求項１に記載の発明は、スロットロッドに形成されたスロットに光ファイバテープ心線を収容するとともに、前記スロットロッドの外周を被覆体で被覆したスロット型光ケーブルにおいて、前記スロット内の光ファイバテープ心線と前記被覆体との間に、該被覆体で押圧されて前記光ファイバテープ心線を押圧する線状の介在を介在させたことを特徴とする。
【００１１】
このような請求項１に記載の発明では、前記線状の介在により、スロット内の光ファイバテープ心線が押圧され、該光ファイバテープ心線はスロット内での長手方向の移動に対する摩擦力が増大してその移動が抑制される。そして、スロット内への線状の介在の挿入は、光ファイバテープ心線をスロット内に挿入する装置を援用することができ、特別な設備を必要とせずに前記線状の介在をスロット内に挿入することができる。
【００１２】
請求項２に記載の発明は、請求項１に記載の前記線状の介在は、表面を毛羽立たせた繊維で形成したことを特徴とする。
【００１３】
このような請求項２に記載の発明では、光ファイバテープ心線が、表面を毛羽立たせた繊維で形成される介在によって押圧されているので、局部的な押圧力が低減されつつ、十分な押圧力を得ることが可能となる。
【発明の効果】
【００１４】
請求項１に記載の発明によれば、スロット内において光ファイバテープ心線を押圧する線状の介在によりスロット内での光ファイバテープ心線の移動が抑制され、ケーブル延線時の光ファイバテープ心線の残留伸び歪みを低減することができる。これによって光ファイバテープ心線の飲み込みの問題を抑制することができる。
【００１５】
また、スロット内の光ファイバテープ心線を押圧する線状の介在は、形状や寸法を任意に変化させることができるので、光ファイバテープ心線への押圧力を任意に調節することができる。また、線状の介在の数を調整することによっても光ファイバテープ心線への押圧力を任意に調整することができる。したがって、前記線状の介在の大きさや数を適度なものとすることにより、ケーブル延線時に光ファイバテープ心線に生じる残留伸び歪みを低減することができ、なお且つ伝送損失特性も優れたスロット型光ケーブルを得ることができる。
【００１６】
請求項２に記載の発明によれば、局部的な押圧力が低減されるので伝送損失特性に優れるとともに、スロット内の光ファイバテープ心線の長手方向の移動に対する十分な摩擦力を得ることができその移動を抑制することができる。
【発明を実施するための最良の形態】
【００１７】
以下、図面を参照して本発明に係るスロット型光ケーブルの実施の形態の一例について詳細に説明する。 
図１は本発明に係るスロット型光ケーブルの実施の形態の一例を示す断面図である。
【００１８】
図において、符号１は、本例のスロット型光ケーブルを示しており、このスロット型光ケーブル１は、中心部にテンションメンバ２を有するスロットロッド３を備え、スロットロッド３の外周に押さえ巻きテープ４が施され、さらにその上に外被５が施されている。押さえ巻きテープ４は、請求の範囲に言う被覆体を構成している。
【００１９】
前記テンションメンバ２は、鋼線又は鋼撚り線などで構成され、また、前記スロットロッド３は、ポリエチレン、ポリ塩化ビニルなどの合成樹脂で構成されている。スロットロッド３には、その長手方向に断面略矩形状のスロット６が形成されている。このスロット６は、Ｓ撚り又はＺ撚りとなるようにスロットロッド３の外周に螺旋状に形成されている。そして、このスロット６は、本例では周方向に等間隔で５本形成されていて、各スロット６には、複数の光ファイバテープ心線７が積層されて収容されている。光ファイバテープ心線７は、図示しないが光ファイバ素線を複数本平行に並べその上に樹脂を一括被覆して構成されている。
【００２０】
スロット６内に積層された複数の光ファイバテープ心線７の内、一番上の光ファイバテープ心線７と押さえ巻きテープ４との間には、線状の介在８を介在させている。この介在８は、押さえ巻きテープ４によって押圧され、光ファイバテープ心線７を押圧しており、これによって光ファイバテープ心線７がスロット６と一体化し光ファイバテープ心線７のスロット６内での長手方向の移動に対する摩擦力が増大してその移動が抑制されるようになっている。
【００２１】
介在８は、表面を毛羽立たせたポリエステル等の繊維で形成されており、図においては断面楕円形状に形成されている。但し、断面形状はこれに限られるものではなく、例えば、断面円形状、断面長方形状などであってもよく、また、光ファイバテープ心線７と同様の形状となっていてもよい。さらに、介在８は、一つのスロット６内に１本のみとなっているが、複数本の介在８を介在させてもよい。
【００２２】
介在８は、スロット６内における光ファイバテープ心線７の長手方向への移動を抑制するための押圧力を得ることができる一方で、光ファイバテープ心線７の伝送損失特性に悪影響を与えないよう光ファイバテープ心線７と押さえ巻きテープ４との間に介在させる。したがって、介在８の大きさは、前記押圧力を得ることができる一方で、光ファイバテープ心線７の伝送特性に悪影響を与えないような大きさとする。具体的には、押さえ巻きテープ４と光ファイバテープ心線７の間の隙間は、通常、０．４ｍｍ〜０．７ｍｍであることから、介在８の大きさは、図示のような断面楕円形状の場合には、短径が１．０ｍｍ以下、介在８の断面形状が円の場合には、その直径が１．０ｍｍ以下、介在８が断面長方形状或いはテープ状の場合には、厚さが１．０ｍｍ以下となるような範囲で適宜選択する。
【００２３】
スロット６内の介在８の本数が１本のみである場合、介在８の大きさを調整することにより光ファイバテープ心線７への押圧力を調整することができるが、かかる押圧力は、スロット６内の介在８の本数を調整することによっても調整することができる。
【００２４】
介在８は、光ファイバテープ心線集合撚り工程で、先ず光ファイバテープ心線７をスロット６内に挿入した後、該スロット６内の光ファイバテープ心線７の上に挿入する。介在８のスロット６内への挿入は、光ファイバテープ心線７をスロット６内に挿入するための装置を用いて行うことができる。
【００２５】
以上のような本例のスロット型光ケーブルによれば、介在８により、スロット６内の光ファイバテープ心線７が押圧され、光ファイバテープ心線７はスロット６内での長手方向の移動に対する摩擦力が増大してその移動が抑制されるので、ケーブル延線時の光ファイバテープ心線７の残留伸び歪みを低減することができる。これにより、スロット型光ケーブル１のケーブル端部を切断したときに、光ファイバテープ心線７が、切断端面からスロット型光ケーブル１の奥に入り込んでしまうことを防止することができる。
【００２６】
また、スロット６内の光ファイバテープ心線７を押圧する介在８は、形状や寸法を任意に変化させることができるので、光ファイバテープ心線７への押圧力を任意に調節することができる。これにより、介在８の大きさを、スロット内での光ファイバテープ心線７の移動を抑制でき、なお且つ伝送損失特性も優れるものとなる押圧力となるような大きさにすることで、ケーブル延線時に光ファイバテープ心線７に生じる残留伸び歪みを低減することができるとともに、伝送損失特性も優れたスロット型光ケーブルを得ることができる。
【００２７】
さらに、介在８は、表面を毛羽立たせた繊維で形成されていることから、このような介在８による光ファイバテープ心線７への局部的な押圧力が低減されつつ、十分な押圧力を得ることが可能となり、光ファイバテープ心線７の長手方向の移動に対する十分な摩擦力を得ることができる。
【実施例】
【００２８】
以下、本発明に係るスロット型光ケーブルの実施例について、比較例と比較して説明する。
【００２９】
実施例１
実施例１は、上記実施の形態で説明したスロット型光ケーブル１と同様の構成において線状の介在８の断面形状を円形状とし、その直径を０．５ｍｍとしたスロット型光ケーブルである。
【００３０】
実施例２
実施例２は、上記実施の形態で説明したスロット型光ケーブル１と同様の構成において線状の介在８の断面形状を円形状とし、その直径を１．０ｍｍとしたスロット型光ケーブルである。
【００３１】
実施例３
実施例３は、上記実施の形態で説明したスロット型光ケーブル１と同様の構成において線状の介在８の断面形状を長方形状とし、その厚さを０．１ｍｍ、幅を１．１ｍｍとしたスロット型光ケーブルである。
【００３２】
実施例４
実施例４は、上記実施の形態で説明したスロット型光ケーブル１と同様の構成において線状の介在８の断面形状を長方形状とし、その厚さを０．５ｍｍ、幅を１．１ｍｍとしたスロット型光ケーブルである。
【００３３】
実施例５
実施例５は、上記実施の形態で説明したスロット型光ケーブル１と同様の構成において線状の介在８の断面形状を長方形状とし、その厚さを１．０ｍｍ、幅を１．１ｍｍとしたスロット型光ケーブルである。
【００３４】
比較例１
比較例１は、上記実施の形態で説明したスロット型光ケーブル１と同様の構成において線状の介在８の断面形状を円形状とし、その直径を０．１ｍｍとしたスロット型光ケーブルである。
【００３５】
比較例２
比較例２は、線状の介在８を介在させずに、光ファイバテープ心線をスロット内に挿入したスロット型光ケーブルである。
【００３６】
以上の実施例１〜５及び従来例１，２について、光ファイバテープ心線の伸び歪み及び伝送損失変化量を測定した。結果を表１に示す。
【００３７】
伸び歪みの測定は、例えばＢＯＴＤＡ（Ｂｒｉｌｌｏｕｉｎ  Ｏｐｔｉｃａｌ  Ｆｉｂｅｒ  Ｔｉｍｅ  Ｄｏｍａｉｎ  Ａｎａｌｙｓｉｓ）等の歪み測定装置を用いて行った。また、伝送損失変化量は、上記各実施例及び比較例のスロット型光ケーブルの延線状態における所定間隔の伝送損失変化量を示している。
【表１】
2005345664.tif 000003
【００３８】
表１の結果から次のようなことが分かった。すなわち、比較例１，２は、損失変化量については、いずれも０．００ｄＢ／ｋｍとなっており、良好であるが、伸び歪みが０．０５％、０．０７％と高くなっている。伸び歪みが０．０５％以上であると、光ファイバテープ心線の飲み込みの問題を生じやすいと考えられ、判定としては、「不可」の判定となった。
【００３９】
一方、実施例１〜５は、伸び歪みについては、０．０２〜０．０４％となっており、比較例１，２に比べて低く良好な結果が得られた。また、損失変化量についても、０．００〜０．０２ｄＢ／ｋｍと良好な結果を得ることができた。したがって、判定としては、何れも、「可」或いは「良」の判定となっている。
【図面の簡単な説明】
【００４０】
【図１】本発明に係るスロット型光ケーブルの実施の形態の一例を示す断面図。
【符号の説明】
【００４１】
１      スロット型光ケーブル
３      スロットロッド
４      押さえ巻きテープ
６      スロット
７      光ファイバテープ心線
８      介在
【図１】
2005345664.tif 000004